(57)【要約】【課題】多品種少量の商品包装体を経済的に製造することができ、商品の取り出しと再封を反復して行うことができ、改竄防止機能と店頭吊り下げ展示機能を容易に付与することができる商品包装体を提供する。【解決手段】商品の形状に合わせた抜き型を有する台紙の該抜き型に商品を入れ、台紙の表裏に薄葉体を貼り合わせることにより該商品を挟持して収納する商品包装体であって、表裏の薄葉体の少なくとも一方が、感圧接着剤により貼り合わせられた合成樹脂フィルムであることを特徴とする商品包装体。【選択図】　図１
2004018071.tif 000002
【特許請求の範囲】
【請求項１】
商品の形状に合わせた抜き型を有する台紙の該抜き型に商品を入れ、台紙の表裏に薄葉体を貼り合わせることにより該商品を挟持して収納する商品包装体であって、表裏の薄葉体の少なくとも一方が、感圧接着剤により貼り合わせられた合成樹脂フィルムであることを特徴とする商品包装体。
【請求項２】
台紙又は合成樹脂フィルムに改竄防止印刷が施されてなる請求項１記載の商品包装体。
【請求項３】
吊り下げ穴を有する請求項１記載の商品包装体。
【発明の詳細な説明】
【０００１】
【発明の属する技術分野】
本発明は、商品包装体に関する。さらに詳しくは、本発明は、多品種少量の商品包装体を経済的に製造することができ、商品の取り出しと再封を反復して行うことができ、改竄防止機能と店頭吊り下げ展示機能を容易に付与することができる商品包装体に関する。
【０００２】
【従来の技術】
従来より、文房具、玩具、化粧品などの小型商品の包装に、ブリスターパックが多く用いられている。ブリスターパックは、商品の形状に合わせて、透明な合成樹脂のシートから真空成形法又は圧空成形法により形成されたブリスターの凹部に商品を挿入し、台紙に取り付けることにより作製される。
ブリスターパックは、透明な包装で商品がよく見える、商品の形状に合わせた形状のブリスターをつくって商品を固定するとともに、包材の緩衝性により商品の損傷を防ぐことができる、数種の商品を組み合わせて包装し、台紙に図解説明などを印刷することができる、台紙に吊り下げ穴を設けることにより、ラックやハンガーを使って店頭で立体的な展示ができるなどの利点を有している。
一方、ブリスターパックは、商品の形状に合わせたブリスターを形成するための金型が必要なことから、多品種少量の商品包装体には適さない、ブリスターを形成するために包材にある程度の厚さが必要であり、包材コストが高くつく、商品の取り出しと再封を反復して行うことが困難な形態が多いなどの欠点も有している。
このために、ブリスターパックの利点を維持したまま、より経済的に多品種少量の商品の包装に対応することができる商品包装体が求められていた。
【０００３】
【発明が解決しようとする課題】
本発明は、多品種少量の商品包装体を経済的に製造することができ、商品の取り出しと再封を反復して行うことができ、改竄防止機能と店頭吊り下げ展示機能を容易に付与することができる商品包装体を提供することを目的としてなされたものである。
【０００４】
【課題を解決するための手段】
本発明者らは、上記の課題を解決すべく鋭意研究を重ねた結果、台紙に商品の形状に合わせた抜き型を形成して商品を収納し、台紙に合成樹脂フィルムを感圧接着剤を用いて貼り合わせることにより、ブリスターパックの利点を維持したまま経済的に商品包装体を製造し、商品の取り出しと再封を反復して行うことも可能となることを見いだし、この知見に基づいて本発明を完成するに至った。
すなわち、本発明は、
（１）商品の形状に合わせた抜き型を有する台紙の該抜き型に商品を入れ、台紙の表裏に薄葉体を貼り合わせることにより該商品を挟持して収納する商品包装体であって、表裏の薄葉体の少なくとも一方が、感圧接着剤により貼り合わせられた合成樹脂フィルムであることを特徴とする商品包装体、
（２）台紙又は合成樹脂フィルムに改竄防止印刷が施されてなる第１項記載の商品包装体、及び、
（３）吊り下げ穴を有する第１項記載の商品包装体、
を提供するものである。
【０００５】
【発明の実施の形態】
本発明の商品包装体は、商品の形状に合わせた抜き型を有する台紙の該抜き型に商品を入れ、台紙の表裏に薄葉体を貼り合わせることにより該商品を挟持して収納する商品包装体であって、表裏の薄葉体の少なくとも一方が、感圧接着剤により貼り合わせられた合成樹脂フィルムである商品包装体である。
図１（ａ）は、本発明の商品包装体の一態様の正面図であり、図１（ｂ）は、そのＡ−Ａ線断面図である。本態様の商品包装体は、台紙２に商品の形状に合わせた抜き型３を設け、該抜き型に商品４を入れ、台紙の表裏に合成樹脂フィルム１を感圧接着剤層６により貼り合わせて商品を収納している。
本発明に用いる台紙の素材に特に制限はなく、例えば、上質紙、コート紙、クラフト紙、板紙、段ボールなどの紙製品、塩化ビニル樹脂シート、アクリル樹脂シート、ポリエチレンシート、ポリプロピレンシートなどの合成樹脂シート、発泡ポリスチレン、発泡ポリエチレン、発泡ポリプロピレンなどの合成樹脂発泡材などを挙げることができる。これらの台紙素材は、１種を単独で用いることができ、あるいは、２種以上を組み合わせ積層して用いることもできる。例えば、合成樹脂発泡材の表裏両面に、コート紙などを積層して貼り合わせ、台紙とすることができる。あらかじめコート紙などに商品の図解説明などを印刷しておくことができるので、印刷が容易になり、台紙の美観を高めることができる。
【０００６】
本発明において、台紙に抜き型を形成する方法に特に制限はなく、台紙の素材に応じて、例えば、トムソン打抜機、熱型などを用いて、商品の形状に合わせた形状に打ち抜くことができる。台紙に抜き型を形成するための刃型、熱型などは、真空成形法、圧空成形法などに用いる金型に比べて安価なので、本発明の商品包装体は、ブリスターパックに比べて多品種少量の商品包装体を経済的に製造することができる。
本発明に用いる合成樹脂フィルムの素材に特に制限はなく、例えば、ポリエチレンフィルム、ポリプロピレンフィルム、ポリスチレンフィルム、ナイロンフィルム、ポリエステルフィルムなどを挙げることができる。これらのフィルムは、単体で用いることができ、２層以上をラミネートした積層フィルムとして用いることもでき、あるいは、アルミ蒸着フィルムなどを用いることもできる。合成樹脂フィルムの素材は、用途に応じて適宜選択することができる。商品の図解説明などは、台紙に印刷する代わりに、合成樹脂フィルムの内面又は外面に印刷することもできる。
【０００７】
本発明の商品包装体において、台紙に合成樹脂フィルムを感圧接着剤により貼り合わせる方法に特に制限はなく、例えば、台紙に感圧接着剤層を設けることができ、あるいは、合成樹脂フィルムに感圧接着剤層を設けることもできる。台紙に感圧接着剤層を設ける方法に特に制限はなく、例えば、台紙に感圧接着剤を塗工することができ、あるいは、台紙に両面感圧接着シートを貼り合わせることもできる。合成樹脂フィルムに感圧接着剤層を設ける方法に特に制限はなく、例えば、合成樹脂フィルムの全面に感圧接着剤を塗工することができ、あるいは、台紙の抜き型に合わせて非接着部分が形成されるように、感圧接着剤を印刷することもできる。
本発明に用いる感圧接着剤に特に制限はなく、例えば、ゴム系感圧接着剤、アクリル系感圧接着剤、シリコーン系感圧接着剤、ウレタン系感圧接着剤などを挙げることができる。使用する感圧接着剤は、台紙の材質、合成樹脂フィルムの材質、要求される接着強度などに応じて適宜選択することが好ましい。
【０００８】
本発明において、感圧接着剤の接着強度に特に制限はなく、商品包装体の目的に応じて適宜選択することができる。感圧接着剤の接着強度は、感圧接着剤層が設けられていない台紙又は合成樹脂フィルムの表面に、剥離加工を施すことにより調整することができる。剥離加工は、接着面の全面に施すことができ、あるいは、接着面の一部に施すこともできる。適当な接着強度を選択することにより、台紙からの合成樹脂フィルムの引き剥がしと貼り合わせを反復して行うことが容易となる。台紙から合成樹脂フィルムを引き剥がして商品の一部を取り出して、残余の商品を残して合成樹脂フィルムを貼り合わせて再封したり、あるいは、台紙から合成樹脂フィルムを引き剥がして商品を取り出し、商品を使用したのち抜き型に戻して合成樹脂フィルムを貼り合わせて再封することができる。図１（ｂ）に示すように、合成樹脂フィルムの一端を台紙より長く延伸させておき、この部分をつまみとして利用することにより、合成樹脂フィルムの引き剥がしを容易に行うことができる。
図１に示す態様の商品包装体は、吊り下げ穴５を有している。商品包装体に吊り下げ穴を設けることにより、ラックやハンガーを用いて店頭で商品包装体を立体的に展示することができる。
【０００９】
図２（ａ）は、本発明の商品包装体の他の態様の正面図である。本態様においては、台紙に４個の抜き型が設けられている。台紙に複数個の抜き型を設けることにより、複数の商品を区分けして収納することが可能となる。図２（ａ）に示す態様においては、４個の抜き型はすべて同一の形状であるが、複数の異なる形状の商品を収納する場合には、それぞれの商品の形状に合わせた抜き型を設けることができる。また、図２（ａ）に示す態様の商品包装体において、台紙から合成樹脂フィルムを引き剥がし、４個の抜き型から必要な商品だけを取り出したのち、台紙と合成樹脂フィルムを再度貼り合わせ、残余の商品を保管することができる。
本発明の商品包装体において、商品の形状に合わせた抜き型は、商品の形状に一致する抜き型である必要はなく、商品を入れることが可能な形状であれば、商品の形状に合わせた抜き型である。図２（ｂ）は、本発明の商品包装体の他の態様の正面図である。本態様の商品包装体は、形状の異なる４個の抜き型を有するが、これらの４個の抜き型にすべて同じ商品を入れることができる。商品が同じであっても、さまざまな形状の抜き型を設けることにより、商品包装体の意匠性を高めることができる。図２（ｃ）は、本発明の商品包装体の他の態様の正面図である。本態様の商品包装体は、星形の抜き穴を有するが、この抜き穴に、例えば、円形の商品を入れることができ、あるいは、多数の粒状の商品を入れることもできる。
【００１０】
図３（ａ）は、本発明の商品包装体の他の態様の正面図であり、図３（ｂ）は、そのＢ−Ｂ線断面図である。本態様の商品包装体は、商品包装体の前面側の合成樹脂フィルム１の内面にシリコーン層７が設けられて剥離加工が施され、商品包装体の背面側の合成樹脂フィルム１には剥離加工が施されていない。したがって、商品包装体の前面側の合成樹脂フィルムの上端をつまんで引き剥がすことにより、商品包装体の前面側の合成樹脂フィルムのみが引き剥がされ、商品包装体の背面側の合成樹脂フィルムは安定して台紙に接着した状態を保つ。合成樹脂フィルムにシリコーン層を設ける代わりに、合成樹脂フィルムを引き剥がす側の台紙に塗工する感圧接着剤を、弱粘性の感圧接着剤とすることにより、合成樹脂フィルムを引き剥がしやすくすることもできる。
【００１１】
本発明の商品包装体には、台紙又は合成樹脂フィルムに、改竄防止印刷を施すことができる。図４（ａ）は、本発明の商品包装体の他の態様の正面図であり、図４（ｂ）は、そのＣ−Ｃ線断面図である。本態様の商品包装体においては、合成樹脂フィルム１の内面に部分的に剥離ニス層９が印刷され、その上に色インキ層８が印刷され、剥離ニス層と色インキ層により改竄防止印刷が形成されている。合成樹脂フィルム１は感圧接着剤層６により台紙２に接着されているので、合成樹脂フィルムを台紙から引き剥がすと、剥離ニス層が存在する部分の色インキ層は感圧接着剤層に転写して台紙側に移るので、台紙から合成樹脂フィルムが引き剥がされ商品包装体が開封されたことを明確に識別することができる。
剥離ニス層の模様は、細かい千鳥模様、市松模様などの細かい模様であることが好ましい。剥離ニス層を細かい模様とすることにより、いったん引き剥がした合成樹脂フィルムを台紙に貼り合わせても、台紙側に転写された色インキ層と合成樹脂フィルム側に残った色インキ層の模様にずれや重なりなどの異常が生ずるので、合成樹脂フィルムが引き剥がされ、商品包装体が開封されたことを一目瞭然に判別することができる。剥離ニス層の印刷には、例えば、シリコーンを配合したゴム系樹脂を含む大日本インキ化学工業（株）のファインラップＯＰニスなどを用いることができる。色インキ層の印刷には、例えば、大阪印刷インキ製造（株）のＥＸＰ開封防止用インキなどを用いることができる。
【００１２】
本発明の商品包装体においては、表裏の薄葉体の一方を感熱接着剤により台紙に接着することができる。図５（ａ）は、本発明の商品包装体の他の態様の背面図であり、図５（ｂ）は、そのＤ−Ｄ線断面図である。本態様の商品包装体は、商品包装体の前面側の合成樹脂フィルム１の内面にシリコーン層７が設けられて剥離加工が施され、商品包装体の前面側の台紙２に感圧接着剤層６が設けられているので、商品包装体の前面側の合成樹脂フィルムの引き剥がしと貼り合わせを反復して行うことができる。商品包装体の背面側の合成樹脂フィルムは、台紙２に感熱接着剤層１０により強固に接着されているので、商品包装体の前面側の合成樹脂フィルムの上端をつまんで引き剥がすことにより、商品包装体の前面側の合成樹脂フィルムのみが引き剥がされ、商品包装体の背面側の合成樹脂フィルムは安定して台紙に接着した状態を保つ。
【００１３】
本発明の商品包装体においては、表裏の薄葉体の一方のみを合成樹脂フィルムとし、他方を厚紙などとすることができる。図６（ａ）は、本発明の商品包装体の他の態様の正面図であり、図６（ｂ）は、そのＥ−Ｅ線断面図である。本態様の商品包装体は、台紙２の前面側に感圧接着剤層６が設けられ、合成樹脂フィルム１の引き剥がしと貼り合わせを反復して行うことができる。また、台紙２の背面側に接着剤層１２が設けられ、厚紙１１が強固に接着されている。商品包装体の前面側の合成樹脂フィルムの上端をつまんで引き剥がすことにより、商品包装体の前面側の合成樹脂フィルムのみが引き剥がされ、商品包装体の背面側の厚紙は安定して台紙に接着した状態を保つ。台紙２の中の抜き型３が占める面積が大きいと、台紙によって商品包装体の剛性を維持することが困難になる場合があるが、このような場合には、商品包装体の背面の薄葉体を厚紙とすることにより、商品包装体に剛性を付与することができる。
【００１４】
【発明の効果】
本発明の商品包装体は、多品種少量の商品包装体を経済的に製造することができ、商品の取り出しと再封を反復して行うことができ、改竄防止機能と店頭吊り下げ展示機能を容易に付与することができる。
【図面の簡単な説明】
【図１】図１は、本発明の商品包装体の一態様の正面図及び断面図である。
【図２】図２は、本発明の商品包装体の他の態様の正面図である。
【図３】図３は、本発明の商品包装体の他の態様の正面図及び断面図である。
【図４】図４は、本発明の商品包装体の他の態様の正面図及び断面図である。
【図５】図５は、本発明の商品包装体の他の態様の背面図及び断面図である。
【図６】図６は、本発明の商品包装体の他の態様の正面図及び断面図である。
【符号の説明】
１　合成樹脂フィルム
２　台紙
３　抜き型
４　商品
５　吊り下げ穴
６　感圧接着剤層
７　シリコーン層
８　色インキ層
９　剥離ニス層
１０　感熱接着剤層
１１　厚紙
１２　接着剤層
【図１】
2004018071.tif 000003
【図２】
2004018071.tif 000004
【図３】
2004018071.tif 000005
【図４】
2004018071.tif 000006
【図５】
2004018071.tif 000007
【図６】
2004018071.tif 000008